(57)【要約】【課題】抗菌性ないしは除菌性を備えたプラスチック製品を開発・実用化する。【解決手段】白金ナノ粒子水溶液より白金ナノ粒子のセラミックパウダーを生成する（工程１）。次に、セラミックパウダーを合成樹脂に含ませて固形化することで合成樹脂のペレットを生成する（工程２）。次に、合成樹脂のペレットを更に別個の合成樹脂に含ませ混合させて新たな合成樹脂を生成する（工程３）。更に、上記の新たな合成樹脂を溶解して射出成形することにより、プラスチック製品の本体部を生成する（工程４）。【選択図】図１
2013177518.tif 000002
【特許請求の範囲】
【請求項１】
合成樹脂を原料とするプラスチック本体部と、
前記プラスチック本体部内に全体的に亘って含有された白金ナノ粒子と
を備えることを特徴とするプラスチック製品。
【請求項２】
請求項１に記載する前記プラスチック製品を製造する方法であって、
白金ナノ粒子水溶液より白金ナノ粒子のセラミックパウダーを生成する工程と、
前記セラミックパウダーを第１合成樹脂に含ませて固形化することで合成樹脂のペレットを生成する工程と、
前記合成樹脂のペレットを更に第２合成樹脂に含ませ混合させて第３合成樹脂を生成する工程と、
前記第３合成樹脂を溶解して射出成形法により前記プラスチック本体部を生成する工程と
を備えることを特徴とするプラスチック製品の製造方法。
【請求項３】
請求項２に記載した第３合成樹脂より成る合成樹脂体。
【発明の詳細な説明】
【技術分野】
【０００１】
この発明は、白金ナノ粒子水溶液の持つ特性（抗菌性、抗ウィルス性）を利用したプラスチック製品とその製造技術とに関する。
【背景技術】
【０００２】
近年、バクテリア菌等の身体に有害な菌を殺傷させる抗菌性を有したプラスチック製品の開発・実用化が求められている。例えば、プラスチック製の「まな板」を例として記載すれば、当該まな板を用いて包丁を使用して料理を作る際には、包丁がまな板の表面に食い込むので、当該まな板が菌で汚染されてしまう場合がある。或いは、プラスチック製の弁当箱でも、当該弁当箱は日常多用されるものなので、その清潔性が求められるところである。
【先行技術文献】
【特許文献】
【０００３】
【特許文献１】特開２０１１−１９５９３１号公報
【特許文献２】特開２００８−５６５９２号公報
【発明の概要】
【発明が解決しようとする課題】
【０００４】
しかしながら、その様な要求に十分に応え得るプラスチック製品の実用化は中々進歩していないのが現状であると、言える。
【０００５】
そこで、本願発明者は、この様な現状を打破するべく、抗菌性ないしは除菌性及び抗ウィルス性に富んだ性能を有するプラスチック製品の実用化及びそのための製造方法の開発を提案する。
【課題を解決するための手段】
【０００６】
この発明の主題に係るプラスチック製品の製造方法は、白金ナノ粒子水溶液より白金ナノ粒子のセラミックパウダーを生成する工程と、前記セラミックパウダーを第１合成樹脂に含ませて固形化することで合成樹脂のペレットを生成する工程と、前記合成樹脂のペレットを更に第２合成樹脂に含ませ混合させて第３合成樹脂を生成する工程と、前記第３合成樹脂を溶解して射出成形法により前記プラスチック本体部を生成する工程とを備えることを特徴とする。
【発明の効果】
【０００７】
本発明の主題によれば、白金ナノ粒子水溶液に含まれる白金ナノ粒子を合成樹脂全体にまで広く且つ均一に分散させることが出来るので、バクテリア菌等の身体に有害な菌を殺傷させ得る抗菌性ないしは除菌性を有したプラスチック製品を提供することが出来る。
【０００８】
以下、本発明の様々な具体化を、添付図面を基に、その効果・利点と共に、詳述する。
【図面の簡単な説明】
【０００９】
【図１】本発明の実施の形態１に於ける抗菌性プラスチック製品を製造する工程を示すフローチャートである。
【発明を実施するための形態】
【００１０】
（実施の形態１）
【００１１】
本実施の形態に係るプラスチック製品（まな板、弁当箱等。）の製造方法は、抗菌性・除菌性及び抗ウィルス性に富んだ白金ナノ粒子を液化してなる白金ナノ粒子水溶液を利用したものである。
【００１２】
この白金ナノ粒子水溶液は、取引市場に於いて販売されており、その入手が可能な公知の水溶液である。又、白金ナノ粒子水溶液の特質に関しては、上記の特許文献１に於いて詳細に記載されている。
【００１３】
以下、この白金ナノ粒子水溶液を用いて、抗菌性ないしは除菌性に富んだプラスチック製品を製造するための方法を、適宜、製造工程を順次に記載したフローチャートである図１を参照しつつ、記載する。
【００１４】
（ステップＳ１）  先ず、白金ナノ粒子水溶液より白金ナノ粒子のセラミックパウダーを生成する。即ち、スプレードライヤーという公知の装置を用いて、公知の方法によりセラミックパウダー化を行う。詳述すれば、約２００℃の雰囲気温度の恒温室内に於いて、白金ナノ粒子水溶液を、例えば粒径が４ミクロンのセラミックの粉に入れて拡散することで、セラミックをドロ状化（スラリー化）した上で、乾燥させる。この様な処理を経ることで、白金ナノ粒子を含んだセラミックパウダーが生成される。
【００１５】
（ステップＳ２）  次に、セラミックパウダーを、汎用の合成樹脂（以下「第１合成樹脂」と言う。）内に含ませて混合・拡散処理を行い、ドロ状化したものを固形化処理（乾燥処理）・ペレット化処理を施すことで、合成樹脂のペレットを生成する。この段階では、セラミックパウダー内に含有されていた白金ナノ粒子は、第１合成樹脂全体に亘って均一に分散され得ない。そのため、この段階では、合成樹脂のペレットは、十分な抗菌性・除菌性を発揮し得ない。この理由は、異物同士を混入して拡散処理を行っているので、十分に白金ナノ粒子が分散し得ないことによる。
【００１６】
（ステップＳ３）  その上で、別個の汎用の合成樹脂（以下「第２合成樹脂」と言う。）を用いて、再度の混合・拡散処理及び乾燥処理を行って、新たな合成樹脂（以下「第３合成樹脂」と言う。）を得る。即ち、合成樹脂のペレットを更に第２合成樹脂に含ませて混合させ、拡散処理・乾燥処理を経て、第３合成樹脂を生成する。この段階に於いて、同種同士を混合・拡散しているので、合成樹脂のペレット内に含有されていた白金ナノ粒子は、第３合成樹脂全体に亘って均一に分散されるので、その結果、十分な抗菌性・除菌性を発揮し得る第３合成樹脂（プラスチック）を生成することが出来る。
【００１７】
（ステップＳ４）  次に、予め製作しておいたプラスチック製品用の金型を用いて、第３合成樹脂を溶解して上記の金型内に射出成形することで、プラスチック製品を仕上げる。この段階での、金型から取り外されたプラスチック製品は、全体的に亘って含有された白金ナノ粒子を有するプラスチック本体部より構成される。そのため、全体的に亘り均一に分散化された白金ナノ粒子の持つ特質により、当該プラスチック製品のプラスチック本体部は、人の身体にとって有害な菌に対して抗菌作用ないしは除菌作用を呈する。
【００１８】
抗菌性の特質が求められるプラスチック製品の例としては、既述した様な「まな板」又は「弁当箱」等を挙げることが出来る。その様なプラスチック製品は、多種多用である。
【００１９】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００２０】
この発明は、抗菌性が求められる多種・多様なプラスチック製品に適用して好適である。
【符号の説明】
【００２１】
Ｓ１  ステップ１
Ｓ２  ステップ２
Ｓ３  ステップ３
Ｓ４  ステップ４
【図１】
2013177518.tif 000003